Podtech/llm-jp-corpus-v4-ja_patent huggingface dataset:
(57)【要約】      （修正有）【課題】スパゲティ麺を茹でる際に、鍋からはみ出た麺が高温の鍋のふちで焦げつくことを防ぐ、スパゲティ麺ゆで具を提供する。【解決手段】半円筒形のスパゲティ麺受け皿（１）の裏面にアーム（２）を設け、アーム（３）の下端にクリップ（３）を設けたことを特徴とする。スパゲティ麺受け皿（１）に立てかけられたスパゲティ麺は、高温の鍋のふちに接触することなく徐々に湯の中に落ちていくので焦げ付くことがなく茹でられる。【選択図】図１
0003124566.tif 000002
【実用新案登録請求の範囲】
【請求項１】
（イ）スパゲティ麺受け皿（１）の裏面にアーム（２）を設ける。
（ロ）アーム（２）の下端にクリップ（３）を設ける。
以上の構成よりなるスパゲティ麺ゆで具。
【考案の詳細な説明】
【技術分野】
【０００１】本考案は、スパゲティ麺受け皿にアームとクリップを設けた、スパゲティ麺ゆで具に関するものである。
【背景技術】
【０００２】従来、スパゲティの麺を鍋で茹でる場合、鍋のふちから麺がはみ出し、焦げることがあった。
【考案の開示】
【考案が解決しようとする課題】
【０００３】従来、スパゲティの麺を小型の鍋で茹でる場合、麺が鍋からはみ出し、高温になった鍋のふちで麺が焦げ付くこという欠点があった。また、それを避けるには、麺を曲げ鍋に入る柔らからさになるまで、麺を手で保持する必要があった。
本考案は、以上のような欠点をなくすためになされたものである。
【課題を解決するための手段】
【０００４】本考案は、スパゲティ麺受け皿（１）の裏面にアーム（２）を設け、アームの下端にクリップ（３）を設ける。
本考案は、以上の構成よりなるスパゲティ麺ゆで具である。
【考案の効果】
【０００５】（イ）スパゲティ麺をスパゲティ麺受け皿に立てかけた状態で茹でることができるので、麺が入りきらない小さな鍋で茹でる際でも、麺が鍋に接触して焦げ付くことがない。
（ロ）湯の中のスパゲティ麺が柔らかくなるにしたがって、徐々に麺全体が鍋の中に落ちていくため、手で麺を保持している必要がない。
【実用新案を実施するための最良の形態】
【０００６】以下、本考案を実施するための最良の形態について説明する。
半円筒形の傾斜したスパゲティ麺受け皿（１）の裏面に、湾曲した平板のアーム（２）を設け、アームの下端にクリップ（３）を設ける。
本考案は、以上の構成でこれを使用するときは、クリップ（３）で鍋のふちをはさみ固定し、スパゲティ麺受け皿（１）にスパゲティ麺を立てかけて麺をゆでる。湯の中のスパゲティ麺下部が柔らかくなるにつれ、スパゲティ麺受け皿（１）に立てかけられた麺全体が、徐々に鍋の中に落ちていく。麺と鍋のふちが接触しないため、麺が焦げ付くことがない。
【図面の簡単な説明】
【０００７】
【図１】  本考案の斜視図である。
【図２】  本考案の使用状態をあらわす斜視図である。
【符号の説明】
【０００８】  １    スパゲティ麺受け皿
２    アーム
３    クリップ
【図１】
0003124566.tif 000003
【図２】
0003124566.tif 000004
(57)【要約】      （修正有）【課題】せき板と目地棒の間にセメントペーストの浸入を防ぐ密着性能向上目地棒を提供する。【解決手段】目地棒の一面に空洞部を設けることでせき板との密着を強くした。本考案の目地棒は断面の両端でのみせき板と接触しているため釘止めをすると強い力で良くせき板面になじむ。また空洞内にセメントペーストが浸入しても目地棒の両端が楔の働きをしてコンクリート仕上げ面に割れが及ばない。【選択図】図１
0003124568.tif 000002
【実用新案登録請求の範囲】
【請求項１】
型枠せき板との接合面に空洞を設けて密着性能を向上させた目地棒
【考案の詳細な説明】
【考案の詳細な説明】
【技術分野】
【０００１】本考案は土木建設工事に於いて、コンクリート工事で化粧や見切りに使われる目地棒に関するものである。
【背景技術】
【０００２】従来、断面形状が正方形や台形の目地棒が一般的に使われている。
【考案の開示】
【考案が解決しようとする課題】
【０００３】コンクリートを流し込んで固まった後に型枠せき板と目地棒を取り外すと釘で止めていたせき板と目地棒が面と面で接しているので間にセメントペーストが浸入して見切りとなるべきコンクリート仕上げ面を破損させる事が多かった。
【課題を解決するための手段】
【０００４】本考案は目地棒のせき板側面を空洞にすることで接点により強い力が掛かりせき板との密着度を増してセメントペーストの浸入を防ぐものである。
【考案の効果】
【０００５】本考案の目地棒は断面の両端でのみせき板と接触しているため釘止めをすると強い力で良くせき板面になじむ。また空洞内にセメントペーストが浸入しても目地棒の両端が楔の働きをしてコンクリート仕上げ面に割れが及ばない。
【図面の簡単な説明】
【図１】本考案の斜視図である。
【図２】本考案の断面図である。
【図１】
0003124568.tif 000003
【図２】
0003124568.tif 000004
(57)【要約】【課題】集塵フィルタの目詰まり等による空調用ダクト内の風速変化を空調設備外部から簡単かつ明確に把握でき、しかも安価な構成である表示装置の提供。【解決手段】風力により発電するモータを内蔵したファンを検出部として空調設備内部に設置し、検出部の起電力の強弱により表示が変化するＬＥＤ群または液晶表示器を表示部として空調設備外部に設置することにより、集塵フィルタの目詰まり等による空調用ダクト内の風速の変化を、電源を必要とせず、常時明確に把握することができる。【選択図】図１
0003124594.tif 000002
【実用新案登録請求の範囲】
【請求項１】
風力により発電する機能を有するファンで形成される検出部と、主として複数のＬＥＤまたは液晶表示器で形成される表示部で構成され、空調用ダクト内に検出部を設置し、表示部を空調設備外部に設置することにより、一切の電源を必要とせず、検出部における起電力の増減によってＬＥＤ群または液晶表示器の表示が変化することにより、空調用ダクト内の風速の変化を空調設備外部から容易に、かつ常時明確に把握することができる特徴をもった簡易風速表示装置。
【考案の詳細な説明】
【技術分野】
【０００１】本考案は空調用ダクト内の風速変化を空調設備外部から確認するための風速表示装置に関する。
【背景技術】
【０００２】現在、空調設備内部に設置された集塵フィルタの目詰まりを空調設備外部から確認する方法として集塵フィルタの上流側と下流側の気圧差を計測する微差圧計を用いるのが一般的である。
【考案の開示】
【考案が解決しようとする課題】
【０００３】集塵フィルタの目詰まり具合を微差圧計によって確認する方法では、目詰まり具合を示すと言われている集塵フィルタ上流側と下流側の気圧差の増加が送風機の送風能力に大きく左右され、目詰まり度合いと気圧差が比例的に推移することは稀で、集塵フィルタの目詰まり度合いを空調設備外部から明確に把握することは困難な場合が多く、風量不足による空調設備機能としての不都合が生じることがしばしば見受けられる。【０００４】測定器として販売されている風速計は比較的高価であり、集塵フィルタが設けられた空調用ダクト毎に風速計を設置するのは設備費用増大という点で問題であり、さらにその多くは電源が必要なため、設置場所や点検保守の面でも費用がかさむ場合が多い。
【課題を解決するための手段】
【０００５】風力により発電する機能を有するファンで形成される検出部と、主に複数のＬＥＤまたは液晶表示器で形成される表示部で構成され、空調用ダクト内に検出部を設置し、表示部を空調設備外部に設置する事により、電源を一切必要とせず、検出部における起電力の増減によって変化する表示部のＬＥＤ群または液晶表示器の表示を確認し、集塵フィルタの目詰まり等による空調ダクト内の風速変化を空調設備外部から容易に、かつ常時明確に把握する事ができるようにした。
【考案の効果】
【０００６】微差圧計による気圧差を利用した集塵フィルタの目詰まり確認手法では、送風機の送風能力の限界によっては集塵フィルタの目詰まり状況の把握が困難な場合があり、実情はこれまでの経験則による定期的な集塵フィルタ交換または洗浄サイクルを採用するか、風量不足等により空調設備自体が本来の効果を失った状態が発覚してから集塵フィルタの交換または洗浄を行っていたが、本考案の装置により空調設備ダクト内の風速変化を明確に把握でき、集塵フィルタの交換または洗浄の時期を空調設備外部から常時把握する事が可能になるので、空調設備の正常運転稼働率及び点検保守作業の効率が向上する。【０００７】本考案装置は構造が単純なため、従来の風速計よりも比較的安価に製造可能であり、フィルタの目詰まり状況や空調用ダクト内の簡易的な風速確認用途として十分な機能を有するので空調設備費用の削減に繋がる。【０００８】電源を一切必要としないので電源及び電線敷設費用や電気代が節約でき、表示部の表示機能が失われた場合は集塵フィルタの完全な目詰まりという著しい風速の低下以外にも、空調設備の異常や本考案装置自体の故障という事態が容易に判断できるので、フェイルセーフの観点からも空調設備の稼働率及び安全の向上が見込める。
【考案を実施するための最良の形態】
【０００９】発電可能なモータを内蔵した軸流ファンを検出部として空調用ダクト内に設置し、モータに接続された一対の電線を空調用ダクト外部に出す。【００１０】５個程度のＬＥＤを有し、供給された電力の増加によって点灯するＬＥＤ数が増えるように組まれた電子回路に、一定電圧下において点灯するＬＥＤ数を調節できるダイヤルを設け、それらをケースに収めたものを表示部として空調設備外部に設置し、検出部から延びている一対の電線を電力の供給源となるように表示部の電子回路に接続する。【００１１】新品または洗浄直後の集塵フィルタを空調設備に取り付けた状態で空調設備を運転させ、その時点での空調用ダクト内の風速を最大風速とし、表示部のＬＥＤが１つだけ消灯した状態になるように表示部のダイヤルを調節する。【００１２】集塵フィルタが目詰まりを生じて空調ダクト内の風速が減少すると検出部における起電力が弱くなり、表示部における点灯ＬＥＤ数も減ってくるので、それをもって集塵フィルタの目詰まり状況が把握でき、集塵フィルタの交換または洗浄の時期を知ることができる。
【図面の簡単な説明】
【００１３】
【図１】請求項１に係わる検出部と表示部の一実施例を示した斜視図。
【符号の説明】
【００１４】ａ：表示部ケース、ｂ：ＬＥＤ、ｃ：点灯ＬＥＤ数調節ダイヤル、ｄ：発電モータ内蔵ファンで構成される検出部、ｅ：ダクト取り付けフランジ、ｆ：ダクト取り付け用ネジ穴、ｇ：一対の電線
【図１】
0003124594.tif 000003
(57)【要約】      （修正有）【課題】床下換気口等に装着する、取り外し自在の、防水ゴムシールを装置した止水板で、大雨や台風による水害時、住宅等の床下への泥水や汚泥流入による汚染を防ぐ。【解決手段】疎水性のスポンジ状に成型された合成ゴムなどで作った水密シール部を周囲に設け、中心に開口部を設けた止水板基部と、その開口部を塞ぐための、蓋状止水板とで構成される止水装置を提供する。基部をあらかじめ浸水が予想される住宅の床下換気口等に設置しておき、水害警報の発令時に、基部の開口部を蓋状止水板で塞ぐことにより、水害時の浸水を防ぐ機能を有する。【選択図】図４
0003124597.tif 000002
【実用新案登録請求の範囲】
【請求項１】
既存床下換気口に装着する面に、疎水性のスポンジ状に成型された合成ゴムなどで作った水密シール（３）を有し、換気口の換気性能を阻害しない程度の開口部を持つ止水基部（１）と、当該基部との間を水密化する、前記シール（３）を有する着脱自在の蓋部（２）とで構成される床下換気口用止水装置。
【考案の詳細な説明】
【技術分野】
【０００１】  本考案は、大雨、台風などの自然災害で、住宅等の床下に、換気口より流入する汚水や汚泥による床下の汚染を防ぐ機能を有した、防災器具に関する。
【背景技術】
【０００２】  水害時、床下換気口より流入する汚水等を防ぐには、床下換気口そのものを無くしてしまうか、床下換気口を水害予想水位より高く取り付けることでしか対応できていないのが現実であり、有効な床下換気口用止水装置が存在しなかった。
【考案の開示】
【考案が解決しようとする課題】
【０００３】  従来、床下換気口から流入する汚水や汚泥は、水害が収まった後も住宅の床下に留まり、臭気を発生し、柱の根腐れや床畳の腐敗などの原因となった。
【課題を解決するための手段】
【０００４】  本考案は、床下換気の機能はそのままに、開口部を着脱式止水板で覆って汚水等の流入を防ぐものである。よって次のように考案した。【０００５】  床下換気口は住宅の基礎部分に自然風を通し、換気を促すことにより湿気によるカビや害虫の発生を抑え、住宅の保全をする目的で存在するものであるから、水害を想定して換気口そのものを塞いでしまうことは本末転倒である。【０００６】  そこで、着脱式の床下換気口止水装置を提供する。【０００７】  床下換気口の開口部と、同等か一周り大きい開口部を持つ板状の止水装置基部を、疎水性ゴムシールなどを挟んだ水密の状態で床下換気口の外部から取り付ける。【０００８】  別に、止水装置基部の開口より一周り大きい蓋を用意する。蓋の一面には疎水性のゴム等で出来たスポンジ状シールを取り付けておく。【０００９】  当考案の実施に際しては、止水装置基部の開口部を当該蓋で、基部と簡易に着脱可能なネジや引留め金具等で水密に取り付ける。
【考案の効果】
【００１０】  大雨や台風などの水害が予想される時、床下換気口開口部を当考案の装置で塞ぎ、浸水を防ぐことが出来る。これにより、汚水や汚泥による床下からの臭気発生を無くし、住宅の基礎を湿気から守り、住宅という最大の財産保全に役立つ。
【考案を実施するための最良の形態】
【００１１】  ステンレス等の防錆性、耐久性のある素材で、床下換気口より大きい開口部を設けた止水基部を作り、ゴムやコーキング等の疎水性のシールを介して床下換気口の外部基礎コンクリートにアンカーなどでしっかり固定する。【００１２】  別にステンレス等の素材で止水基部の開口部を塞ぐ大きさの止水板（蓋）を用意して、ネジ等の引き留め金具で止水板基部に取り付ける。【００１３】  床下換気口止水基部を塞ぐ蓋の方には、あらかじめ疎水性素材で出来たスポンジ状ゴムシールが貼り付けてあり、止水基部と蓋部の間を水密にする。
【実施例】
【００１４】  図１は本考案の床下換気口止水装置を取り付けた全体図である。このように装置全体を既存住宅の基礎にある床下換気口に、水密に取り付けることで、水害時の床下浸水を防ぐ。【００１５】  図２は本考案の止水装置基部（１）である。蓋部を取り付ける時のずれを防ぐため、突起（７）を設けている。これにより蓋部を取り付ける時、落下の心配なく装着作業を行うことが出来る。
図２で、床下換気口に本考案を取り付ける側に、疎水性のスポンジ状ゴムシールなど（６）を設け、止水装置基部を取り付けたときの水密状態を作り出す。【００１６】  図３は本考案の止水装置蓋部（２）である。引き留め金具（３）により図２の止水装置基部に装着する。蓋部が止水装置基部に重なる位置にスポンジ状ゴムなどの疎水性のシール（６）を設けて、蓋の水密状態を作り出す。【００１７】  図４は止水装置基部と蓋部を取り付けた図である。固着するための引き留め金具（３）の種類形状は蝶ネジやレバーハンドル、スプリングロックなど、いろいろな既知の金物が使用できる。
【産業上の利用可能性】
【００１８】  本考案は、住宅に床下換気口止水装置基部をあらかじめ取り付けておき、大雨や台風などによる水害警報など緊急時、蓋部を装着することで、床下換気口より汚水や汚泥が浸入するのを防ぐ。平常時は止水蓋部を取り外し保管しておく。これにより床下換気口の換気機能を妨げないものである。
【図面の簡単な説明】
【００１９】
【図１】  本考案の床下換気口止水装置を住宅に取り付けた全体図（正面図）である。
【図２】  本考案の床下換気口止水装置の基部（Ａ−Ａ断面図）である。
【図３】  本考案の床下換気口止水装置の蓋部（Ａ−Ａ断面図）である。
【図４】  本考案の止水装置基部と蓋部を重ね合わせた図（Ａ−Ａ断面図）である。
【符号の説明】
【００２０】（１）      止水装置基部
（２）      止水装置蓋部
（３）      引き留め金具
（４）      住宅外壁
（５）      住宅基礎
（６）      疎水性シール
（７）      ずれ止め突起
（８）      開口部
【図１】
0003124597.tif 000003
【図２】
0003124597.tif 000004
【図３】
0003124597.tif 000005
【図４】
0003124597.tif 000006
(57)【要約】      （修正有）【課題】子供用防犯ブザー装着の効果が現状では不透明で定着していないことを鑑み、明確な基準で安全性を向上させ、犯罪を未然に防ぐ抑止力としての携帯用防犯ブザーケースを提供しようとする。【解決手段】子供が装着しやすく、目立ちやすく、サッと手が届く場所に防犯ブザーがあるために、黄色の腕輪状の防犯ブザーケース１で保持し腕に装着する。色、形、装着場所を統一することにより、すばやく操作できる防犯ブザーの所持を主張する事となる。その結果、子供用防犯ブザー装着の効果向上の実現に役立ち、犯罪の抑止力ともなり得る。【選択図】図３
0003124596.tif 000002
【実用新案登録請求の範囲】
【請求項１】
子供用防犯ブザーに黄色のケースをつけ接続部品で黄色のゴムベルトとつなぎ腕に装着、更に黄色のショルダーベルトをケースと接続してポシェット式にも装着できる腕用とポシェット両用の防犯ブザーケース
【考案の詳細な説明】
【技術分野】
【０００１】    本考案は子供がすばやく操作できる防犯ブザーの装着場所を確保するための携帯用防犯ブザーに属する。
【背景技術】
【０００２】    本考案の属する技術分野には、主にランドセルやカバンに装着する防犯ブザーや首から下げる携帯用防犯ブザーがある。
【考案の開示】
【考案が解決しようとする課題】
【０００３】    従来の防犯ブザーは危機に遭遇することを予測しその瞬間の効果を目的とするが、いざというとき手が届かなかったり、形状や色も統一されていなかったりでその効果は不透明である。そこでこの考案では子供の行動範囲が学校だけでなく公園や塾など広域にわたるため、あらゆる場所や服装を想定し装着が容易で、片手ですばやく操作出来る防犯ブザーにする事が１つめの課題である。更に色と形状を統一し、目立つ場所に装着することで結果を招く以前の「抑止力としての防犯ブザー」にすることが２つめの課題である。
【課題を解決するための手段】
【０００４】    上記の課題を解決するためには装着しやすく、目立ちやすく、サッと手が届く場所に防犯ブザーを装着することが唯一の手段である。そこで、防犯ブザーそのものにケースとゴムベルトを付け腕に装着する。更に防犯ブザーであることを認識させるために全体の色を黄色にし形状も腕輪の形で統一する。また腕用ゴムベルトを外してケースを黄色のショルダーベルトとつなぐことによりポシェット式にも使えるようにする。
【考案の効果】
【０００５】    １，子供の腕に統一した色と形の防犯ブザーがあることですばやく対応出来るばかりか犯罪を犯そうとする者に対する抑止力になり犯罪を未然に防ぐことができる。犯罪者が生まれない効果と、子供の安全を守る効果が生まれた。２、どんな服装でもサッと腕に通すだけで防犯ブザーが所持出来て、子供の行動範囲のいずれの場所にも対応できる携帯用防犯ブザーとなった。３，腕装着が困難な子供には黄色のショルダーベルトをつけてポシェット式に装着することで腕装着と同じ効果が発揮できる。
【考案を実施するための最良の形態】
【０００６】    以下、本考案を実施するための最良の形態は、▲１▼子供の腕に装着するので軽量かつコンパクトでなければならない。▲２▼子供を守る１つの手段としての防犯ブザーと考えれば、形状も色もバラバラでは防犯ブザーということが認識されにくい。防犯ブザー携帯を視認させ「実行不可能」という抑止力を犯罪予定者に知らしめる最良の形態は防犯ブザーの形状と色と装着場所が統一されたものでなければならない。
【実施例】
【０００７】    コンパクトな防犯ブザーを用いて黄色い厚地布で防犯ブザーケース（図１−１）を作る。ケースの一方は外に出すプラグの作動部分孔（図１−２）を開けておく。片方（図１−３）は電池取替用に開けておき面テープで開閉する。ケースの両端に幅１５ミリのゴムベルトを掛けるための接続部品（図１−４，５）をつける。ゴムベルト（図１−６）に長さ調節の部品（図１−７）を付けて多様な腕の大きさに対応出来るようにする。片方のルトは端を輪にして縫い止め、接続部品（図１−５）に掛ける。【０００８】    ショルダーベルト（図２−８）は防犯ブザーケースと同じ黄色で細いベルト地を用い長さ調節部品（図ー９）をつける。ケースとの接続部品（図２−１０）をつける。腕装着用ゴムベルトを取り外して、ショルダーベルトと防犯ブザーケースの（図１−４）と接続しポシェット式に装着する。黄色のたすきがけで防犯ブザー所持を知らしめる。【０００９】  （図３−１０）の部分は２重にしてプラスチックをはさみ、防犯ブザー作動の支えにする。
【産業上の利用可能性】
【図面の簡単な説明】
【０００１０】
【図１】  防犯ブザーケースの仕様を示した正面図である。
【図２】  ポシェット用ベルトの仕様を示した正面図である。
【図３】  防犯ブザーケースの右側面図である。
【符号の説明】
【０００１１】１      防犯ブザーケース
２      作動プラグ用孔
３      左開口部面テープ
４      ゴムベルト及びショルダーベルト接続部品
５      ゴムベルト接続部品
６      ゴムベルト
７      ベルトの長さ調節部品
８      ショルダーベルト
９      長さ調節部品
１０    接続部品
１１    プラスチック板
【図１】
0003124596.tif 000003
【図２】
0003124596.tif 000004
【図３】
0003124596.tif 000005
(57)【要約】      （修正有）【要約書】【課題】マスカラを塗る際、肌を汚さずファンデーションや白粉を落とすことなく、特に下まつ毛にマスカラを塗る際に、目の下まぶたを軽く引っ張りながら、簡単に失敗せず短時間でマスカラを塗ることが出来るマスカラ用ガードシートを提供する。【解決手段】まつ毛とまぶたの間にまぶたのカーブに合わせて長さ方向両端縁をカットした紙を差し入れることにより、まぶたにマスカラがつくことを防ぎ、なおかつ裏面長さ方向両端縁に沿って薄いゴムシートを貼着することにより、ファンデーションや白粉を落とすことなく、特に下まつ毛にマスカラを塗る際に、下まぶたを簡単に引っ張りながら下まつ毛にマスカラを塗ることが出来る。また、頬のカーブに合わせて湾曲形の紙１を使用することで肌にフィットした状態で使用することが出来る。【選択図】図３
0003124592.tif 000002
【実用新案登録請求の範囲】
【請求項１】
目の横幅に合わせた縦長の長方形のシートであって、長さ方向両端縁を目のまぶたのカーブに合わせてカットし、頬にフィットする様に紙を湾曲形にし、肌に当てる面の長さ方向両端縁に沿って薄いゴムシートを貼着したことを特徴とするマスカラ用ガードシート
【考案の詳細な説明】
【技術分野】
【０００１】  本考案は、まつ毛にマスカラを塗るとき特に下まつ毛にマスカラを塗るときに使用されるマスカラ用ガードシートに関する
【背景技術】
【０００２】  マスカラを塗る際に肌にマスカラがつかないように、直接下まぶたと上まぶたに沿って紙のシールを貼るものは考案されている（特許文献１参照）。【０００３】
【特許文献１】  実用新案登録第３０８０８３５号公報
【考案が解決しようとする課題】
【０００４】  しかし、直接肌にシールを貼れば肌に刺激を与え、負担をかけることになり、また、はがす時にファンデェーションや白粉まで取れてしまうこともある為、まつ毛にマスカラを塗るときに肌にマスカラがつかずファンデーションや白粉も取れずに、また、特に下まつ毛にマスカラを塗りやすくする為に簡単に目の下まぶたを引っ張りながら、下まつ毛にマスカラが塗れる事が望ましい。
【０００５】  本考案は、上記に鑑みてなされたものであり、肌にマスカラがつかずファンデーションや白粉も落ちず、失敗なく短時間でマスカラを塗ることが出来る。特に下まつ毛にマスカラを塗る際には目の下まぶたを引っ張りながら、下まつ毛に簡単にマスカラを塗る事ができるマスカラ用ガードシートを提供することを技術的課題とする。
【課題を解決するための手段】
【０００６】  まつ毛とまぶたの間に差し入れる際に邪魔にならない程度の厚みで、まぶたのカーブに合わせて長さ方向両端縁をカットした（両端を使用できるようにする為）紙を使用することを特徴とする。
【０００７】  特に下まつ毛にマスカラを塗る際にマスカラ用ガードシートを滑りにくくし、少し肌を下に引っ張りながら塗ることが出来るように、使用時に裏とする肌にあてる面の長さ方向両端縁にそって薄いゴムシートを貼り、滑らず肌を引っ張れる事を特徴とする。
【０００８】  また、頬にフィットさせる為、湾曲形に型押しした紙を使用することを特徴とする。
【考案の効果】
【０００９】  まぶたにマスカラがつくことなくファンデーションや白粉も落ちず、特に下まつ毛にマスカラを塗る際に程よく目の下まぶたを引っ張りながら、スムーズにまつ毛にマスカラを塗る事が出来る。
さらに紙を利用する為毎回使い捨てでき、面倒でなく衛生的である。
【考案を実施するための最良の形態】
【００１０】  以下の実施例を示して本考案の構成と作用について説明する。
【実施例】
【００１１】  図３は本考案にかかるマスカラ用ガードシートの使用時の様子を示す正面図である。紙はまつ毛とまぶたの間に差し入れて、邪魔にならない程度の厚さで、使用時によれない程度の厚みを持った紙を使用する。また、まぶたのカーブに合わせて長さ方向両端縁を（両端使用出来るようにする為）カットしたものとする。【００１２】  図１は裏面図である。長さ方向両端縁に沿って薄いゴムシートを貼着し、これもまた、まつ毛とまぶたの間に差し入れる際に邪魔にならない程度の薄いゴムシートを使用する。【００１３】  図２は側面図である。頬のカーブにフィットさせた状態で使用出来るようにする為に湾曲形に型押しした紙を使用する。
＊少し湾曲させる為に、細い筒の中に何十枚かを重ねて入れておき、型をつける。
【作用】
【００１４】  以上の構成により、まぶたのカーブまた、湾曲形にしたシートがほほにフィットし、まつ毛のマスカラを塗る際に肌を汚すことなく、ファンデーションや白粉も落ちず、なおかつ裏面長さ方向両端縁に沿って貼ってある薄いゴムシートにより、特に下まつ毛のマスカラを塗る際に下まぶたを滑らず引っ張りながらマスカラを塗ることが出来る。また、紙を使用する為使い捨てで衛生的である。
【産業上の利用可能性】  本考案にかかるマスカラ用ガードシートは女性がお化粧する際にまつ毛にマスカラを簡単に失敗せず短時間で塗ることができ、肌にマスカラがつくことを防ぎ、ファンデーションや白粉を落とすことなく、特に下まつ毛にマスカラを塗る際には、目の下まぶたを引っ張りながら使用できる。いわゆる化粧品グッズとして商品価値はきわめて高い。毎日使用した場合３０枚を一組にしても、薄くて小さな物の為化粧ポーチなどに入れておくのも容易で、また、少ない資源で大量生産出来る為、低コスト化に貢献し、産業上の利用価値は絶大である。
【図面の簡単な説明】
【図１】  本考案に関わるマスカラ用ガードシートの裏面図である。
【図２】  本考案に関わるマスカラ用ガードシートの側面図である。
【図３】  本考案に関わるマスカラ用ガードシートの使用時の様子を示す正面図である。
【符号の説明】
１．紙
２．薄いゴムシート
【図１】
0003124592.tif 000003
【図２】
0003124592.tif 000004
【図３】
0003124592.tif 000005
(57)【要約】【課題】  室内用エアコンおよびカーエアコンに使用される熱交換器において、冷却能力をアップさせるチューブを用いる事で、該熱交換器本体をコンパクトに収納する。【解決手段】  角型の導入管１を取付けた熱交換器であり、角型であるために、フィン２との設置面積が大きいため、効率良く冷却する事ができる。また、角型であるために、その内部には対流効果が現れ、冷媒ガスの流通がスムーズであるため、節電・省エネにつながる。【選択図】図１
0003124580.tif 000002
【実用新案登録請求の範囲】
【請求項１】
室内用エアコン及びカーエアコンに設置されている熱交換器であって、蛇行状に曲げられたチューブが角型に形成された事を特徴とする熱交換器
【考案の詳細な説明】
【技術分野】
【０００１】  室内用及び自動車用エアコンの熱交換器に関するものである。
【背景技術】
【０００２】  現状の熱交換器は、冷房運転の場合、圧縮機で高温高圧にした冷媒ガスを取り入れ、アルミニウム等で形成されたフィンにより、ファンからの風を受けて冷却する。フィン内部には円筒形のチューブが配管されており、フィンとの接着によってガスが冷却される。
【考案の開示】
【考案が解決しようとする課題】
【０００３】  圧縮された高温高圧のガスを冷却する熱交換器は、送風の容量が大きくなるに伴って大型化される。
【課題を解決するための手段】
【０００４】  本考案は、フィン内部のチューブを角型に形成する事で上記問題点を解決しようとした。【０００５】  フィン内部のチューブを角型に形成する事で、フィンとチューブの設置面積を大きくする事ができる。逆に言い換えると、同容量の熱交換率を求める場合、円筒形よりも角型の方が、よりコンパクトに収まるという事である。
【考案の効果】
【０００６】  チューブを角型に形成することによって、その内壁に接する部分では対流効果が現れる。その結果、チューブ中央付近の本流のスピードは増加し、冷媒ガスの循環がスムーズになる。このことは、節電や省エネにつながる。円筒形のチューブでは、対流効果は現れない。【０００７】  同容量の冷却パワーを求めるならば熱交換器はコンパクトになり、同規模の熱交換器を設置するのであれば、冷却力がアップする。
【図面の簡単な説明】
【０００８】
【図１】本考案の熱交換器の図である。
【符号の説明】
【０００９】    １  導入管
２  フィン
３  排出管
４  熱交換器本体
【図１】
0003124580.tif 000003
(57)【要約】【課題】既成文具のカスタマイズを容易にするシールを考案する。【解決手段】剥離シール（１）の非粘着面に、装飾シート（３）を重ね、周辺を閉じて袋状のシールを作成する。使用時にはこれをハサミ等で好みに分割してポケットを作成し、対象に貼り付けて使用する。例えば、２つの長方形に切り取れば通常のポケット機能を、２つの三角形に切り取れば用紙を差し込むフォルダ機能を、既成の文具に追加することができる。【選択図】図２
0003124576.tif 000002
【実用新案登録請求の範囲】
【請求項１】
本請求は、２枚の紙又はビニール製のシートを重ね、その周辺を閉じて中を空洞に作り、その片面に粘着加工を施して一個のシールに構成した、文具シールに関する。
【考案の詳細な説明】
【技術分野】
【０００１】  本考案は、既成の文具にポケット機能などを追加する、カスタマイズ用シールに関する。
【背景技術】
【０００２】  ポケット付きのシールやワッペンは存在するが、汎用性に乏しい。
【考案の開示】
【考案が解決しようとする課題】
【０００３】  使用目的を限定しない、用途に柔軟な、カスタマイズ文具が必要である。
【課題を解決するための手段】
【０００４】  本考案は請求項１に記載の如くの、閉じた袋型のシールを考案する。
使用時にはこのシールを半分などに切り離し、好みのポケットを作成する。
【考案の効果】
【０００５】  本考案は以上の如く袋型に構成したので、目的に応じて異なる形のポケットに切り分けて使用することができる。これは従来の製品にない汎用性を実現するものである。
【考案を実施するための最良の形態】
【０００６】  正方形のビニール製剥離シール（１）の非粘着面に、同型のビニール製装飾シート（３）を重ね、その四辺をのりしろ（４）に沿って熱シーリングし、完成させる。
【実施例】
【０００７】  以下、一辺が１０ｃｍの文具カスタムシールを想定して実施例を挙げる。【０００８】  シールの上部一辺を切り取り、１個のポケットを作成し、手帳に貼り付けて使用する。【０００９】  シールを対角線上で切り取り、２個の三角ポケットを作成し、ノートの上下対角に貼り付けて用紙の差込みに使用する。【００１０】  シールを縦半分に切り取り、２個の長方ポケットを作成し、手帳に貼り付けて名刺などの差込みに使用する。【００１１】  シールの上下を切り取り、ファイルの背表紙に貼り付け、タイトルの差込みに使用する。
【図面の簡単な説明】
【００１２】
【図１】  シールの構成図である。
【図２】  シールの添付例である。
【符号の説明】
【００１３】  １    剥離シール
２    粘着面
３    装飾シート
４    のりしろ
【図１】
0003124576.tif 000003
【図２】
0003124576.tif 000004
(57)【要約】      （修正有）【課題】マスクをしてもメガネが曇りにくく、スポーツなどができやすいようにする。【解決手段】マスク本体１からカット部分２を切り取ることによって、マスクをしていてもメガネが曇りにくくした。【選択図】図１
0003124579.tif 000002
【実用新案登録請求の範囲】
【請求項１】
鼻の部分のみを覆う形状により、スポーツが楽に行えるマスク。
【考案の詳細な説明】
【技術分野】
【０００１】スポーツ時の呼吸を楽にし、メガネの曇りを減らした。
【背景技術】
【０００２】ノーズピース、プリーツ、マイクロエアースクリーン▲Ｒ▼素材使用のマスクにより花粉を防ぐことが可能となったが、マスクで口を覆うためメガネの曇りを認めた。鼻のみマスクすることでそれが解消できるようになった。【０００３】
【特許文献１】米国特許５，８６３，３１２  深呼Ｑマスク▲Ｒ▼
【考案の開示】
【考案が解決しようとする課題】
【０００４】花粉など鼻炎の原因となる物質を除去するためにマスクを使用することが多いが、スポーツをするときなどは息苦しかったり、メガネが曇ったりして不便である。
【課題を解決するための手段】
【０００５】鼻のみをマスクすることで口からの息でマスクが曇るのを防いだ。
【考案の効果】
【０００６】鼻をマスクすることで花粉の吸い込みはある程度防げるが、口から息を吐くことで、メガネの曇りを防ぐことができる。
【図面の簡単な説明】
【図１】マスク本体とカット部分を示した平面図である。
【図２】考案したマスクの使用状況をしめす平面図である。
【符号の説明】
１  マスク本体
２  カット部分
３  ノーズピース
４  プリーツ
【図１】
0003124579.tif 000003
【図２】
0003124579.tif 000004
(57)【要約】【課題】  携帯型情報機器の小型防水ケースを低コストで製造し提供する。【解決手段】  透明性のある弾性体材料でケースを一体成型することで、情報表示部分の視認性を保ち操作部の操作性を確保し、また材料の伸縮性を利用して本体挿入口と蓋の密着嵌合で止水する方法により課題を解決する。【選択図】図５
0003124578.tif 000002
【実用新案登録請求の範囲】
【請求項１】
携帯型情報機器を覆うケースの該機器挿入口と挿入口を塞ぐ蓋を開閉可能に嵌合密着させた事を特徴とする機器操作部カバーと表示部透過性カバーを一体に成形した弾性体材料の防水ケース。
【請求項２】
請求項１に於いて、該機器挿入口と挿入口を塞ぐ蓋に止水溝、止水突起をそれぞれ配置したことを特徴とする一体に成形した弾性体材料の防水ケース。
【請求項３】
請求項１に於いて、防水ケース本体叉は挿入口を塞ぐ蓋に外部プラグを止水密着係止する穴を配設した事を特徴とする弾性体材料の防水ケース。
【考案の詳細な説明】
【技術分野】
【０００１】  本考案は、携帯型情報端末及び携帯型音楽録再生装置などの携帯型機器の防水ケースに関する物である。
【背景技術】
【０００２】  従来の技術思想では、携帯型情報端末及び携帯型音楽録再生装置などの防水ケースは硬質透明材料で成形され、機器操作部はゴムで覆い本体挿入部は蓋の嵌合部にパッキンを配置する構成になっており、複雑で大きな外装寸法になりコストも高い物であった。
【考案の開示】
【考案が解決しようとする課題】
【０００３】  本考案は該機器の外周を覆うゴム材等の透明性のある弾性体材料で成形したケース本体と挿入口を止水密閉する蓋で構成し、ケースの外装寸法を小さくし部品点数を減らし製造コストを削減する事を目的とする。
【課題を解決するための手段】
【０００４】  本考案では透明性のある弾性体材料でケースを一体成型することで、情報表示部分の視認性を保ち操作部の操作性を確保し、また材料の伸縮性を利用して本体挿入口と蓋の密着嵌合で止水する方法により課題を解決する。
【考案の効果】
【０００５】  上記のように本考案の携帯型情報機器用弾性体材防水ケースは、構成される部品点数が少なく低コストで生産供給が可能であり、また材質が弾性体材であることから携帯型情報機器本体を衝撃から守る役割も果たす。本考案の実施により携帯型音楽再生装置などを埃塵、水濡から守り、機器本体の耐久性を大きく改善することが出来る。
【考案を実施するための最良の形態】
【０００６】  携帯型情報機器の外装をトレースする形状の透明シリコーンゴム等で弾性体材防水ケースを一体成形し、情報表示部分はゴム材を内外共に平滑に仕上げ視認製を高める。また該機器の操作部に合わせてゴム材を薄肉し、操作部をケース外から容易に操作出来る形状とする。情報表示部分、操作部を一体成形したケースの該機器挿入口内壁に止水溝を設け、ケースの蓋には止水突起を配置する。プラグを接続する場合はケース本体叉は蓋に止水密着係止穴を設け、該穴を通してプラグを接続する。
【実施例】
【０００７】  以下、添付図面に基づいて実施例を説明する。
図１は本考案の携帯型情報機器用弾性体材防水ケースの外観図である。弾性体材防水ケース１には情報機器本体の情報表示液晶部に対応する透明表示部２と、該本体操作ボタン及びダイアルに対応する薄肉部３、４が配置される。弾性体材防水ケース１は全体を透明性のあるゴム材で成形する方法と２色成形の技術で表示部２のみを透明性材質にする方法等がある。携帯型情報機器本体は該ケース１底に設けた本体挿入口５より挿入配置される。止水溝６は本体挿入口５の内壁に沿って設置される。【０００８】  図２は本体挿入口５を塞ぐ蓋７の外観図である。蓋７の外周嵌合部には止水溝６に対応する止水突起８が配置される。さらに蓋７には情報機器本体のプラグ差込口に応じた位置にイヤホンプラグなどを接続する為の止水密着係止穴が配設される。【０００９】  図３は携帯型情報機器１０に本考案の弾性体材防水ケース１を被せ、蓋７で塞ぎイヤホンプラグ１１を取り付けた使用状態の外観図である。【００１０】  図４は弾性体材防水ケース１の断面図である。透明性材質からなる表示部２は視認製をさらに高めるため薄肉で成形し、該本体操作ボタンの操作を良好にするために薄肉部４を成形する。【００１１】  図５は携帯型情報機器１０、本考案の弾性体材防水ケース１、蓋７、イヤホンプラグ１１の装着位置関係の俯瞰図である。
【図面の簡単な説明】
【００１２】
【図１】弾性体材防水ケースの平面である。
【図２】蓋の平面である
【図３】携帯型情報機器をケースに装着し、蓋とプラグを装着した状態の平面である。
【図４】弾性体材防水ケースの断面である。
【図５】装着位置関係の俯瞰図である。
【符号の説明】
【００１３】  １弾性体材防水ケース
２表示部
６止水溝
７蓋
１０携帯型情報機器
１１イヤホンプラグ
【図１】
0003124578.tif 000003
【図２】
0003124578.tif 000004
【図３】
0003124578.tif 000005
【図４】
0003124578.tif 000006
【図５】
0003124578.tif 000007
(57)【要約】【課題】プラスチックモデルの部品の組み立てにくさの解消【解決手段】プラスチックモデルの性質上、組み立て完成後は露出しない面が各部品の段階では存在する場合が多い。この面や露出しても目立たない部分に各部品の識別記号や組み立て指示記号を凹み状の刻印または凸状の浮き出しの形状で付与することで各部品の識別を容易にし組み立て間違いをおこしにくくする。【選択図】図１
0003124537.tif 000002
【実用新案登録請求の範囲】
【請求項１】
組み立て完成後は露出しない面や目立たない部分にその部品の識別番号や上下方向、指示記号等の組み立てガイドを刻印付与することで組み立て間違いを減ずる機能を持たせたプラスチックモデル
【考案の詳細な説明】
【技術分野】
【０００１】部品の組み立て間違いをおこしにくいプラスチックモデルの考案
【背景技術】
【０００２】現在のプラスチックモデルは部品の識別番号がランナー側にしか記載されておらずその取り付け向き等の指示も説明書の図示による物のみである。
【考案の開示】
【考案が解決しようとする課題】
【０００３】これまで消費者がプラスチックモデルを組み立てる時は一度切り離した部品は形状のみで識別しつつ向きや順序を図面で確認せねばならず類似形状の部品が存在する場合の組み立てでは混同が起きやすく、左右対称・上下対称の部品においては組み立て向きの間違いも起きやすかった。
【課題を解決するための手段】
【０００４】プラスチックモデルの性質上組み立て完成後においては露出しない面が部品の段階では存在することが多い。この露出しない面や目立たない部分に各部品の識別番号、上下方向、組み合わせる別の部品に関する指示等を刻印付与する。
【考案の効果】
【０００５】図面やランナー側のみでなく各部品そのものにも組み立てガイドを刻印付与する事で組み立ての際に参照できる情報量が増え、組み立て間違いを減ずる効果が得られる。
【考案を実施するための最良の形態】
【０００６】組み立てキット類であれば全て各部品にガイドを付与する意味はあると思われるが、各部品に完成後露出しない面が存在する事が多く、ガイドを付与しうる余裕がある事、金型段階で一度刻印すれば以降の生産の際には再度の手間を要しない事、また消費者が組み立ての際識別すべき部品数が多くなりやすい点で本考案は特にプラスチックモデルに適したものと言える。
【実施例】
【０００７】［図１］参照。これは２枚張り合わせ部品での実施例を示した図である。
【図１】
0003124537.tif 000003
【手続補正書】
【提出日】平成18年4月17日(2006.4.17)
【手続補正２】
【補正対象書類名】実用新案登録請求の範囲
【補正対象項目名】全文
【補正方法】変更
【補正の内容】
【実用新案登録請求の範囲】
【請求項１】
組み立て完成後は露出しない面や目立たない部分にその部品の識別記号や組み立て指示記号を凹み状の刻印または凸状の浮き出しの形状で付与することで組み立て間違いを減ずる機能を持たせたプラスチックモデル
【手続補正３】
【補正対象書類名】明細書
【補正対象項目名】全文
【補正方法】変更
【補正の内容】
【考案の詳細な説明】
【技術分野】
【０００１】部品の組み立て間違いをおこしにくいプラスチックモデルの考案
【背景技術】
【０００２】現在のプラスチックモデルは部品の識別記号がランナー側にしか記載されておらずその取り付け向き等の指示も説明書の図示による物のみである。
【考案の開示】
【考案が解決しようとする課題】
【０００３】これまで消費者がプラスチックモデルを組み立てる時は一度ランナーから切り離した部品においては部品の識別は形状のみで行い、組み立てる際の方向や取り付け位置等は図面で確認せねばならなかった。
この為、類似形状の部品が存在する場合の組み立てでは混同が起きやすく、左右対称・上下対称の部品においては組み立て向きの間違いも起きやすかった。
【課題を解決するための手段】
【０００４】プラスチックモデルの性質上組み立て完成後においては露出しない面が部品の段階では存在することが多い。この露出しない面や目立たない部分に各部品の識別記号や組み立て指示記号を凹み状の刻印または凸状の浮き出しの形状で付与する。
【考案の効果】
【０００５】図面やランナーだけでなく各部品そのものにも識別記号や組み立て指示記号を凹み状の刻印または凸状の浮き出しの形状で付与することで組み立ての際に参照できる情報量が増え、組み立て間違いを減ずる効果が得られる。
【考案を実施するための最良の形態】
【０００６】組み立てキットに識別記号や組み立て指示記号を付与する効果は大きいが、完成時の外観を損なう恐れもある。各部品に完成後露出しない面が存在する事が多く完成時の細部外観を損なうことなく記号を付与する余地がある事、金型段階で一度形状を付与すれば以降の生産の際には再度の手間を要しない事、また消費者が組み立ての際識別すべき部品数が多くなりやすい点で本考案は特にプラスチックモデルに適したものと言える。
【実施例】
【０００７】［図１］参照。２個組み合わせの部品Ａ及び部品Ｂでの実施例を示した。
【図面の簡単な説明】
【０００８】
【図１】消費者が図示のような二つの部品Ａと部品Ｂを組み合わせて一つの部品にする場合、図のように部品の識別記号が付与されていればＡ・Ｂの区別を付けることができ、方向指示記号が付与されていればＡ・Ｂの組み合わせ向きを判別することができ、取り付け部の指示記号が付与されていれば取り付け位置を把握する事ができる。
【符号の説明】
【０００９】●は挿しピンを示す。
◎は挿しピンの受け穴を示す。
▲Ａ▼及び▲Ｂ▼は凹状の刻印又は凸上の浮き出しで部品に付与された識別記号を示し、▲Ａ▼はこの部品がＡであること、▲Ｂ▼はこの部品がＢであることを消費者に認識させる。
▲上▼及び▲下▼は凹状の刻印又は凸上の浮き出しで部品に付与された方向の指定記号を示し、消費者が部品Ａと部品Ｂを組み合わせる際に部品Ａの記号▲上▼と部品Ｂの記号▲上▼、部品Ａの記号▲下▼と部品Ｂの記号▲下▼を揃える事で部品Ａと部品Ｂを組み合わせる方向を正しく揃える事ができる。
▲１▼及び▲２▼は凹状の刻印又は凸上の浮き出しで付与された挿しピンの指定記号を示し、部品Ａにおいて記号▲１▼の横にある挿しピンは部品Ｂにおいて記号▲１▼の横にある挿しピンの受け穴に挿入されるべきである事、同様に部品Ａにおいて記号▲２▼横にある挿しピンは部品Ｂにおいて記号▲２▼の横にある挿しピンの受け穴に挿入されるべきである事を消費者に認識させる為のものである。
【手続補正４】
【補正対象書類名】図面
【補正対象項目名】全図
【補正の内容】
【図１】
0003124537.tif 000004
(57)【要約】      （修正有）【課題】ゴルフティーショット時の打力によるティーの飛びを軽減し、探しやすくする。【解決手段】ゴムやシリコンのような弾力性を有する薄状素材で、平面視帯状に形成し、上記帯状素材の上側全域を粘着面とし、その下端面から素材の横方向に所望の幅員で細状に切断して房状部を形成し、使用時にゴルフティーのピンの太さに対応して帯状素材を所要の幅員に切断してその粘着面をピンに装着して使用することを特徴とするゴルフティーの紛失防止用マーカーである。【選択図】図１
0003124536.tif 000002
【実用新案登録請求の範囲】
【請求項１】
ゴムやシリコンのような弾力性を有する薄状素材で、平面視帯状に形成し、上記帯状素材の上側全域を粘着面とし、その下端面から素材の横方向に所望の幅員で細状に切断して房状部を形成し、使用時にゴルフティーのピンの太さに対応して帯状素材を所要の幅員に切断してその粘着面をピンに装着して使用することを特徴とするゴルフティーの紛失防止用マーカーである。
【考案の詳細な説明】
【技術分野】
【０００１】本考案はゴルフプレー時のティーの紛失を軽減しプレーをスムーズに行う為にゴルフティーに装着しティーと一体化を図る為の紛失防止用マーカーにかんする。
【背景技術】
【０００２】  従来、紛失しにくいティーとして開発されている技術（特許出願２０００−５９７０２４及び実用新案出願平７−８３６０）はボールとティーの接地点をナイロン素材で形成しているが、接地点の安定が悪く柔軟性がありすぎる為に飛距離が出にくくなっている。また、ティーに装着する防止具（実用新案出願２００５−２６２３）はティーを防止具に差し込む為、ティーが強い打撃により防止具より離脱する恐れがある。また、ティーの形状によっては、利用できない。
【考案の開示】
【考案が解決しようとする課題】
【０００３】  本考案は、上記のような実状をふまえ創案されたされたものでティーの形状を選ばず、ティーと防止具が一体化し離れる事無く接着できるゴルフティーの紛失防止用マーカーを提供する事を課題とするものである。
【課題を解決するための手段】
【０００４】  上記課題を解決する為、本考案が採用した技術は、ゴムやシリコンのような弾力性を有する薄状素材で、平面視帯状に形成し、上記帯状素材の上側全域を粘着面とし、その下端面から素材の横方向に所望の幅員で細状に切断して房状部を形成し、使用時にゴルフティーのピンの太さに対応して帯状素材を所要の幅員に切断してその粘着面をピンに装着して使用することを特徴とするゴルフティーの紛失防止用マーカーである。
【考案の効果】
【０００５】  したがって本考案によればティーに装着する事により、プレー時にティーがボールと共に飛んでしまっても直ちに確認できる。そのため、ティーを紛失する恐れが無い。また、ティーを探す時間が短縮する事により、プレーをスムーズに行うことが可能となる。
【考案を実施するための最良の形態】
【０００６】本考案の最良の形態を添付図面に基づいて詳細に説明する。図１（Ａ）本考案の展開図、同図（Ｂ）は本考案をゴルフティーに装着した状態を示す正面図、図２（Ａ）は本考案を装着したゴルフティーをティーグランドに立設した状態を示す正面図、同図（Ｂ）は同上平面図である。【０００７】  図１はゴムやシリコンのような弾力性を有する薄状素材で、帯状に形成されたゴルフティーの紛失防止用マーカー本体であって、このマーカー本体図１は、上側全域に粘着面１−ａが形成され、また、粘着面１−ａには方眼状の目盛りをつけ、その下端面から下方には横方向に所望の幅員で細状に切断された房状部１−ｂが形成されている。【０００８】  上記のように構成されたゴルフティーの紛失防止用マーカー本体図１は、使用時にボールの載置面２−ａとピン２−ｂとからなるゴルフティー図２のピン２−ｂの太さに対応して切断、粘着面１−ａをピン２−ｂに装着して使用するがその際、房状部１−ｂは開いて図１（Ｂ）や図２（Ａ），（Ｂ）に示すようになる。また、下端房状部１−ｂは素材の重さと空気抵抗によりゴルフティーの飛来を軽減できる。【０００９】  弾力性素材は、蛍光色やゴルフ場で目立つ色に着色されたゴムやシリコンのような薄状の部材を使用する。それによってゴルフプレー時に、目視できティーの落下点を直ちに確認できる。
【図面の簡単な説明】
【００１０】
【図１】Ａは本考案の展開図  〔図１Ｂ〕はティーに装着した状態を示す正面図
【図２】Ａは同上ティーグランドに立設した状態を示す正面図  〔図２Ｂ〕は同上平面図
【符号の説明】
【００１１】１・・・・・ゴルフティー紛失防止用マーカー本体
１−ａ・・・  粘着面（方眼状のメモリ）
１−ｂ・・・  細状に切断された房状部
２  ・・・・ゴルフティー紛失防止マーカー装着した状態のゴルフティー
２−ａ・・・  載置面
２−ｂ・・・  ゴルフティーのピン
【図１】
0003124536.tif 000003
【図２】
0003124536.tif 000004